(57)【要約】【課題】  本発明は、制御信号に基づいて、確実に視聴を制限することができる無線送信装置および無線送受信システムを提供する。【解決手段】  受信した放送信号を無線で送受信する無線送受信システムであって、放送信号を受信する受信手段１と、放送信号とともに送信される制御信号を検出するＶ−Ｃｈｉｐ検出手段６と、前記Ｖ−Ｃｈｉｐ検出手段６で検出された前記制御信号に基づいて、受信した放送信号を規制処理する規制手段と、受信した放送信号を無線で送信する無線送信手段５とを有した無線送信装置Ａと、前記無線送信手段５から送信される放送信号を受信する無線受信手段９と、前記無線受信手段９で受信された放送信号に基づいて、映像を表示する表示手段１２とを有した表示装置Ｂとから構成され、前記無線送信手段５は、前記制御信号に基づいて、前記規制手段で規制処理された放送信号を前記表示装置Ｂへ送信することを特徴とする。【選択図】  図１
2005217511.tif 000002
【特許請求の範囲】
【請求項１】
受信した放送信号を無線で送信する無線送信装置であって、
放送信号を受信する受信手段と、
放送信号とともに送信される制御信号を検出する検出手段と、
前記検出手段で検出された前記制御信号に基づいて、受信した放送信号を規制処理する規制手段と、
受信した放送信号を無線で送信する無線送信手段とを有し、
前記無線送信手段は、前記制御信号に基づいて、前記規制手段により規制処理された放送信号を送信することを特徴とする無線送信装置。
【請求項２】
前記無線送信手段は、放送信号とは別系統で、前記制御信号を送信することを特徴とする請求項１に記載の無線送信装置。
【請求項３】
前記規制手段は、前記制御信号が、前記無線送信装置に設定されている制御信号と一致する場合、受信した放送信号を規制処理することを特徴とする請求項１または２に記載の無線送信装置。
【請求項４】
前記規制手段は、受信した放送信号をミュート処理することを特徴とする請求項１乃至３のいずれかに記載の無線送信装置。
【請求項５】
受信した放送信号を無線で送受信する無線送受信システムであって、
放送信号を受信する受信手段と、放送信号とともに送信される制御信号を検出する検出手段と、前記検出手段で検出された前記制御信号に基づいて、受信した放送信号を規制処理する規制手段と、受信した放送信号を無線で送信する無線送信手段とを有した無線送信装置と、
前記無線送信手段から送信される放送信号を受信する無線受信手段と、前記無線受信手段で受信された放送信号に基づいて、映像を表示する表示手段とを有した表示装置とから構成され、
前記無線送信手段は、前記制御信号に基づいて、前記規制手段で規制処理された放送信号を前記表示装置へ送信することを特徴とする無線送受信システム。
【請求項６】
前記無線送信手段は、放送信号とは別系統で、前記制御信号を前記表示装置へ送信することを特徴とする請求項５に記載の無線送受信システム。
【請求項７】
前記規制手段は、前記制御信号が、前記無線送信装置に設定されている制御信号と一致する場合、前記受信手段で受信した放送信号を規制処理することを特徴とする請求項５または６に記載の無線送受信システム。
【請求項８】
前記規制手段は、前記受信手段で受信した放送信号をミュート処理することを特徴とする請求項５乃至７のいずれかに記載の無線送受信システム。
【請求項９】
前記表示装置は、前記無線送信手段から送信された前記制御信号を前記無線受信手段で受信し、該制御信号に基づいて、前記無線受信手段で受信した放送信号の伝送規制処理を行なう伝送規制手段を有することを特徴とする請求項６乃至８に記載の無線送受信システム。
【請求項１０】
前記伝送規制手段は、前記無線送信手段から送信された前記制御信号が、前記表示装置に設定されている制御信号と一致する場合、前記無線受信手段で受信した放送信号を伝送規制処理することを特徴とする請求項９に記載の無線送受信システム。
【請求項１１】
前記伝送規制手段は、前記無線受信手段で受信した放送信号の前記表示手段への伝送を遮断することを特徴とする請求項９または１０に記載の無線送受信システム。
【請求項１２】
前記表示装置は、前記無線受信手段で受信した放送信号の代わりに、他の所定の映像信号を前記表示手段へ伝送することを特徴とする請求項１１に記載の無線送受信システム。
【発明の詳細な説明】
【技術分野】
【０００１】
本発明は、放送番組の内容に応じた制御信号に基づいて、受信した放送の視聴を制限する無線送信装置および無線送受信システムに関する。
【背景技術】
【０００２】
近年、放送番組の内容に応じて視聴を制限できるように、放送信号に重畳して制御信号を送信する放送形態が構築されてきている。例えば、米国では、制御信号としてＶ−Ｃｈｉｐ信号が実用化されている。これは、放送番組の内容（暴力的、性的等）に応じてランク付けされたレイティング情報が、Ｖ−Ｃｈｉｐ信号として映像信号に重畳されて送信されるもので、受信側では、視聴が好ましくないと思われるレイティング情報を設定しておくことにより、設定したレイティング情報の番組を視聴できないように制御することができる。このようなＶ−Ｃｈｉｐ制御方式として、テレビ画面に、映像と併せてレイティング情報も表示するシステム等も提案されている（特許文献１）。
また、近年、テレビジョンシステムとして、放送信号を受信する受信部をテレビジョン装置と別体にして、受信部において受信した放送信号を無線でテレビジョン装置に送信するようにして、テレビジョン装置の配置に自由度を持たせた無線テレビジョンシステムも実用化されている。
【特許文献１】特開２０００−１８４３０５号公報
【発明の開示】
【発明が解決しようとする課題】
【０００３】
しかしながら、無線テレビジョンシステムにＶ−Ｃｈｉｐ制御方式を適用する場合、Ｖ−Ｃｈｉｐ信号も無線で送信しなければならない。Ｖ−Ｃｈｉｐ信号を放送信号と一緒に送信することは、伝送容量に限界があるためあまり現実的ではない。従って、放送信号とＶ−Ｃｈｉｐ信号を別系統にして２系統で送信する構成が考えられる。しかし、２系統で送信した場合は、誤動作等により、放送信号のみが送信され、Ｖ−Ｃｈｉｐ信号が送信されない場合が起こり得る。このような誤動作が起こると、本来視聴できないように設定してあるにもかかわらず、放映されてしまうという不具合が生じることになる。
本発明は、このような問題点に鑑みなされたものであり、制御信号に基づいて、確実に視聴を制限することができる無線送信装置および無線送受信システムを提供するものである。
【課題を解決するための手段】
【０００４】
本発明は、受信した放送信号を無線で送信する無線送信装置であって、放送信号を受信する受信手段と、放送信号とともに送信される制御信号を検出する検出手段と、前記検出手段で検出された前記制御信号に基づいて、受信した放送信号を規制処理する規制手段と、受信した放送信号を無線で送信する無線送信手段とを有し、前記無線送信手段は、前記制御信号に基づいて、前記規制手段により規制処理された放送信号を送信することを特徴とする。
前記無線送信手段は、放送信号とは別系統で、前記制御信号を送信することを特徴とする。
前記規制手段は、前記制御信号が、前記無線送信装置に設定されている制御信号と一致する場合、受信した放送信号を規制処理することを特徴とする。
前記規制手段は、受信した放送信号をミュート処理することを特徴とする。
本発明は、受信した放送信号を無線で送受信する無線送受信システムであって、放送信号を受信する受信手段と、放送信号とともに送信される制御信号を検出する検出手段と、前記検出手段で検出された前記制御信号に基づいて、受信した放送信号を規制処理する規制手段と、受信した放送信号を無線で送信する無線送信手段とを有した無線送信装置と、前記無線送信手段から送信される放送信号を受信する無線受信手段と、前記無線受信手段で受信された放送信号に基づいて、映像を表示する表示手段とを有した表示装置とから構成され、前記無線送信手段は、前記制御信号に基づいて、前記規制手段で規制処理された放送信号を前記表示装置へ送信することを特徴とする。
前記無線送信手段は、放送信号とは別系統で、前記制御信号を前記表示装置へ送信することを特徴とする。
前記規制手段は、前記制御信号が、前記無線送信装置に設定されている制御信号と一致する場合、前記受信手段で受信した放送信号を規制処理することを特徴とする。
前記規制手段は、前記受信手段で受信した放送信号をミュート処理することを特徴とする。
前記表示装置は、前記無線送信手段から送信された前記制御信号を前記無線受信手段で受信し、該制御信号に基づいて、前記無線受信手段で受信した放送信号の伝送規制処理を行なう伝送規制手段を有することを特徴とする。
前記伝送規制手段は、前記無線送信手段から送信された前記制御信号が、前記表示装置に設定されている制御信号と一致する場合、前記無線受信手段で受信した放送信号を伝送規制処理することを特徴とする。
前記伝送規制手段は、前記無線受信手段で受信した放送信号の前記表示手段への伝送を遮断することを特徴とする。
前記表示装置は、前記無線受信手段で受信した放送信号の代わりに、他の所定の映像信号を前記表示手段へ伝送することを特徴とする。
【発明の効果】
【０００５】
本発明によれば、制御信号に基づいて、確実に視聴を制限することができる無線送信装置および無線送受信システムを提供することができる。
【発明を実施するための最良の形態】
【０００６】
次に、本発明の内容を詳細に説明するが、本発明はこれら実施の形態に何ら限定されるものではない。
【０００７】
図１は、本発明の実施の形態にかかる無線送信装置および無線送受信システムのブロック図である。
【０００８】
無線送信装置Ａは、一般的な構成として、放送信号を受信する受信手段１、受信した放送信号の映像信号を信号処理する映像処理手段２、受信した放送信号の音声信号を信号処理する音声処理手段３、映像処理手段２および音声処理手段３で処理された信号を圧縮するエンコーダ４、エンコーダ４で圧縮された信号を表示装置Ｂへ送信する無線送信手段５等から構成されている。
【０００９】
そして、無線送信装置Ａは更に、受信手段１で受信した放送信号に含まれるＶ−Ｃｈｉｐ信号を検出するＶ−Ｃｈｉｐ検出手段６、Ｖ−Ｃｈｉｐ検出手段６で検出されたＶ−Ｃｈｉｐ信号のレイティング情報に基づいて放送信号の規制処理の制御を行なうマイコン７およびＲＯＭ８を有している。
【００１０】
表示装置Ｂは、一般的な構成として、無線送信装置Ａの無線送信手段５から送信される放送信号を受信する無線受信手段９、無線受信手段９で受信した放送信号を伸長するデコーダ１０、デコーダ１０で伸長された映像信号を信号処理する映像処理手段１１、映像処理手段１１で信号処理された映像を表示する表示手段１２、デコーダ１０で伸長された音声信号を信号処理する音声処理手段１３、音声処理手段１３で信号処理された音声を出力するスピーカ１４、表示装置Ｂの制御を行なうマイコン１５およびＲＯＭ１６、表示装置Ｂの操作を行なうリモコン（リモートコントロール装置）１７からの信号を受信する受光手段１８等から構成されている。
【００１１】
そして、表示装置Ｂは更に、無線送信手段５から送信されたＶ−Ｃｈｉｐ信号を検出するＶ−Ｃｈｉｐ検出手段１９を有し、マイコン１５において、Ｖ−Ｃｈｉｐ検出手段１９で検出されたＶ−Ｃｈｉｐ信号のレイティング情報に基づいて放送信号の伝送規制の制御を行なう構成となっている。
【００１２】
本発明のＶ−Ｃｈｉｐ信号による制御について、図２に示すフローチャートに基づいて説明する。
まず、放送信号を受信手段１で受信すると、放送信号に含まれるＶ−Ｃｈｉｐ信号が、Ｖ−Ｃｈｉｐ検出手段６で検出される（Ｓ１）。マイコン７では、Ｖ−Ｃｈｉｐ検出手段６で検出されたＶ−Ｃｈｉｐ信号のレイティング情報が、視聴不可な放送に該当するとして事前に設定されているレイティング情報と一致するか否かが判別される（Ｓ２）。レイティング情報が一致した場合は、視聴不可と判断され、マイコン７からの指示により、正常な放送信号が出力されないように、受信した放送信号が映像処理手段２および音声処理手段３にて規制処理される（Ｓ３）。規制処理された放送信号は、エンコーダ４を介して無線送信手段５により表示装置Ｂへ送信される（Ｓ４）。レイティング情報が一致しない場合は、視聴可と判断され、放送信号は規制処理されずに、エンコーダ４を介して無線送信手段５により表示装置Ｂへ送信される（Ｓ５）。一方、Ｖ−Ｃｈｉｐ検出手段６で検出されたＶ−Ｃｈｉｐ信号は、マイコン７から無線送信手段５へ伝送され、放送信号とは別系統で表示装置Ｂへ送信される（Ｓ６）。
【００１３】
無線送信手段５から送信された放送信号およびＶ−Ｃｈｉｐ信号は、表示装置Ｂの無線受信手段９で受信される（Ｓ７）。無線受信手段９で受信したＶ−Ｃｈｉｐ信号は、Ｖ−Ｃｈｉｐ検出手段１９で検出される（Ｓ８）。マイコン１５では、無線送信装置Ａと同様に、Ｖ−Ｃｈｉｐ検出手段１９で検出されたＶ−Ｃｈｉｐ信号のレイティング情報が、視聴不可な放送に該当するとして事前に設定されているレイティング情報と一致するか否かが判別される（Ｓ９）。レイティング情報が一致した場合は、視聴不可と判断され、マイコン１５からの指示により、表示手段１２およびスピーカ１４に放送信号が伝送されないように、受信した放送信号が映像処理手段１１および音声処理手段１３にて伝送規制処理される（Ｓ１０）。レイティング情報が一致しない場合は、視聴可と判断され、受信した放送信号は伝送規制処理されずに、表示手段１２およびスピーカ１４に伝送される（Ｓ１１）。
【００１４】
従って、誤動作等によって、Ｖ−Ｃｈｉｐ信号が無線受信手段９に送信されずに、放送信号だけが送信された場合でも、視聴不可の放送に該当する場合は、無線送信装置Ａにおいて放送信号が規制処理され表示装置Ｂへ送信されるので、表示装置Ｂにおいてそのまま放映されてしまうという不具合を解消することができるものである。
【００１５】
なお、無線送信装置Ａにおいて、放送信号に対してなされる規制処理としては、例えばミュート処理等、正常な放送を放映できないような種々の処理が適用できる。
【００１６】
また、表示装置Ｂにおける伝送規制処理として、例えば、放送信号を遮断して、代わりの映像としていわゆるブルーバック等の映像と「本放送は視聴できない放送に該当します」等の文字を併せて表示させることもできる。このような構成にすれば、ユーザに対して表示装置Ｂが故障したのではないかという不安を解消させることができる。
【００１７】
更には、無線送信装置Ａにおいても、視聴不可の放送に該当する場合は、放送信号の代わりにブルーバックの映像と文字等を、エンコーダ４を介して無線送信手段５により表示装置Ｂへ送信する構成にすることもできる。その場合、ブルーバックの映像と文字の信号は圧縮、伸長されるため画質が劣化してしまう。しかし、画質を気にしなければ、このような構成にすることにより、表示装置ＢではＶ−Ｃｈｉｐ信号による制御が不要となり、無線送信装置ＡからのＶ−Ｃｈｉｐ信号の送信および表示装置ＢのＶ−Ｃｈｉｐ検出手段１９等を省略することができる。
【図面の簡単な説明】
【００１８】
【図１】本発明の実施の形態にかかる無線送信装置および無線送受信システムのブロック図。
【図２】本発明の実施の形態にかかる無線送信装置および無線送受信システムのＶ−Ｃｈｉｐ信号による制御に関するフローチャート。
【符号の説明】
【００１９】
Ａ      無線送信装置
Ｂ      表示装置
１      受信手段
２      映像処理手段
３      音声処理手段
４      エンコーダ
５      無線送信手段
６      Ｖ−Ｃｈｉｐ検出手段（検出手段）
７      マイコン
８      ＲＯＭ
９      無線受信手段
１０    デコーダ
１１    映像処理手段
１２    表示手段
１３    音声処理手段
１４    スピーカ
１５    マイコン
１６    ＲＯＭ
１７    リモコン
１８    受光手段
１９    Ｖ−Ｃｈｉｐ検出手段
【図１】
2005217511.tif 000003
【図２】
2005217511.tif 000004